(57)【特許請求の範囲】
【請求項１】
複数の種類の呈色型の検査チップの検査を、複数の種類の呈色型の検査チップデータを記録する証明付きタグによって、行う呈色型の検査チップ分析装置のシステム設定方法であって、
（ａ）前記検査チップ分析装置を用いて、識別パスワード、使用許可回数および前記呈色型の検査チップに関する規格および分析パラメータを含む検査チップデータを証明付きタグから読み取るステップと、
（ｂ）前記識別パスワードおよび使用許可回数に基づいて、前記呈色型の検査チップに関する規格および分析パラメータを取り込むか否かを決定するステップと、
（ｃ）前記呈色型の検査チップに関する規格および分析パラメータを取り込んだときには、前記使用許可回数を減らすとともに、前記呈色型の検査チップの規格および分析パラメータに基づいて、前記呈色型の検査チップを分析するステップと、
（ｄ）検査したい他の種類の検査チップがある場合には、前記検査チップ分析装置を用いて、前記証明付きタグから前記他の種類の検査チップの前記検査チップデータを読み取り、ステップ（ｂ）に戻るステップと、を含むことを特徴とするシステム設定方法。
【請求項２】
前記証明付きタグが非接触認証（ＲＦＩＤ）タグであることを特徴とする請求項１に記載のシステム設定方法。
【請求項３】
前記呈色型の検査チップの分析パラメータが、検出部分の数量、検査項目、呈色型の検査チップのサイズ、検出部分のサイズ、検査項目の補正曲線および陰性／陽性判定閾値を含むことを特徴とする請求項１に記載のシステム設定方法。
【請求項４】
前記ステップ（ｃ）は、前記使用許可回数を減らした後、更に前記使用許可回数を前記証明付きタグに保存することを含むことを特徴とする請求項１に記載のシステム設定方法。
【請求項５】
前記ステップ（ｂ）は、呈色型の検査チップに関する規格および分析パラメータが取り込まれていないときには、エラーメッセージを画面に表示することを含むことを特徴とする請求項１に記載のシステム設定方法。
【請求項６】
前記ステップ（ｂ）は、前記識別パスワードが正確であるととともに、使用許可回数が１以上であると認識されたときには、前記呈色型の検査チップに関する規格および分析パラメータを取り込むことを含むことを特徴とする請求項１に記載のシステム設定方法。
【発明の詳細な説明】
【技術分野】
【０００１】
本発明はシステム設定方法に関し、とりわけ呈色型の検査チップ分析装置のシステム設定方法に関する。
【背景技術】
【０００２】
生化学検査はすでに健康診断で慣行されている項目の一つとなっている。また、薬物の不正使用により生じる危害やスポーツ競技の公平性に基づいて、一部政府機関または私的企業において、生理状況または薬物中毒の有無を、検査試薬を用いて検査している。
【０００３】
現在常用されている検査試薬は、尿、血液または血清を検査するための呈色型の検査チップである。この呈色型の検査チップはバイオテクノロジーにより製造されている帯状のチップであって、抗原と抗体の特異性を合わせて利用し、肉眼で直接結果を判別する免疫検査法である。
【発明の開示】
【発明が解決しようとする課題】
【０００４】
呈色型の検査チップの検出位置においては器具の製造時における組み付け誤差により線を揃えることが難しく判定ミスを招いたり、あるいは、判別は検査者の経験に依存することから、誤差が生じやすく、とりわけ単色の反応線の色が薄くて曖昧な場合、個人により判別が異なり検査結果のばらつきが生じてしまう。
【０００５】
よって、呈色型の検査チップでの検査は、通常、ＣＣＤ（Ｃｈａｒｇｅ−ｃｏｕｐｌｅｄ  Ｄｅｖｉｃｅ）またはＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）撮像素子をコンピュータのソフトウェアに結合させることで完成されている。これは呈色した画像をＣＣＤで撮像するとともにコンピュータ内に取り込むものである。コンピュータは基準色判別プログラムを備えており、取り込まれた画像はこのプログラムにより呈色型の検査チップの色と基準色とを比較した後、検査結果を表示する。
【０００６】
呈色型の検査チップの種類は多く、そのうちの一種類が四角形のチップである。従来の呈色型の検査チップ分析装置では、所定の呈色型の検査チップ（例えばある特定規格の呈色型の検査チップ）しか使用できないので、呈色型の検査チップの規格および分析パラメータは予め設定済みであるか、または分析装置内に予め格納されており、分析装置の設定を操作者が変更することはできなかった。公知の呈色型の検査チップ分析装置には一種類の規格の呈色型の検査チップのデータしか備えられていないので、一種類の呈色型の検査チップおよび検査条件にしか適用できなかった。
【課題を解決するための手段】
【０００７】
本発明の目的は、証明付きタグのデータに基づいて、前記分析装置のパラメータおよび検査条件を変更することにより、分析装置の適用範囲を多種規格の呈色型の検査チップに対して拡張可能な、呈色型の検査チップ分析装置のシステム設定方法を提供することである。
【０００８】
本発明の他の目的は、非接触認証（ＲＦＩＤ）タグのデータ内の識別パスワードおよび使用許可回数を読み取ることにより、分析装置の設定状態が不用意に改変されることを防止し、また検査された呈色型の検査チップの数量を使用許可回数により統計する、呈色型の検査チップ分析装置のシステム設定方法を提供する。
【０００９】
前記目的を達成するために、本発明の呈色型の検査チップ分析装置のシステム設定方法は、ＲＦＩＤタグである証明付きタグの設定データに基づいて呈色型の検査チップでの検査を行うことができる。本発明の方法は、識別パスワード、使用許可回数および前記呈色型の検査チップに関する規格および分析パラメータを前記ＲＦＩＤタグから読み取るステップと、前記識別パスワードおよび使用許可回数に基づいて、前記呈色型の検査チップに関する規格および分析パラメータを取り込むか否かを決定するステップと、前記呈色型の検査チップに関する規格および分析パラメータを取り込んだときには、前記使用許可回数を減らすとともに、前記呈色型の検査チップの規格および分析パラメータに基づいて、前記呈色型の検査チップを分析するステップと、を含む。
【発明の効果】
【００１０】
本発明方法は、多種規格の呈色型の検査チップに応じて、前記分析装置のパラメータおよび検査条件を変更するシステム設定方法を提供することにより、分析装置の適用範囲を拡張する。しかもシステムは証明付きタグの設定データにより、分析装置の設定状態が不用意に改変されることを防止して、検査された呈色型の検査チップの数量を使用許可回数により統計することができる。以上のいずれもが本発明の優れた効果である。
【発明を実施するための最良の形態】
【００１１】
図面と、実施形態の詳細な説明および特許請求の範囲を合わせて、上記および本発明のその他の目的および特長を以下に詳細に説明する。しかしながら、図面は単に本発明の技術的思想を解説するために作成されたものであり、本発明の範囲を限定するものではないことが理解できる。本発明の範囲の定義は、別紙の特許請求の範囲を参照されたい。
【００１２】
まず、図１を参照されたい。本発明の好ましい実施形態において、呈色型の検査チップ分析装置筐体１０は、ＲＦＩＤタグ１２に対応するスロット１１を有しており、前記スロット１１内にはＲＦＩＤ読取り装置（図示せず）が設けられている。ＲＦＩＤタグが挿入されると、呈色型の検査チップ分析装置のシステムは、ＲＦＩＤタグ上の証明設定データを前記読取り装置により読み取り、前記呈色型の検査チップ分析装置のパラメータおよび検査条件を変更する。
【００１３】
続いて、本発明の呈色型の検査チップ分析装置のシステム設定方法の主な作業のフローチャートである図２を参照されたい。本発明の方法を実施する呈色型の検査チップ分析装置は、呈色型の検査チップを検査するためのものである。本発明の実施形態において、ステップ１００は呈色型の検査チップ分析装置の電源を投入した後、非接触認証（ＲＦＩＤ）タグ読取り装置が起動して入ったスタンバイ状態である。ステップ１１０は呈色型の検査チップ分析装置が起動した後のスタンバイ状態において、ＲＦＩＤタグ読取り装置はＲＦＩＤタグが挿入されている否かを判断する。もしＲＦＩＤタグが未挿入であると判断されたときには、起動後のスタンバイ状態を引き続き維持する。もしＲＦＩＤタグがすでに挿入済みであると判断されたときには、システムはステップ１１２を実行する。本発明の実施形態において、挿入されたＲＦＩＤタグは、呈色型の検査チップ分析装置の設定データを記録した合法的な証明タグであることが必要である。この設定データには、識別パスワードと、使用許可回数と、呈色型の検査チップに関する規格および分析パラメータなどのデータが含まれている。そして分析パラメータは、検出部分の数量、検査項目、呈色型の検査チップのサイズ、検出部分のサイズ、検査項目の補正曲線および陰性／陽性判定閾値が含まれるが、これに限定されるわけではない。ステップ１１２において、呈色型の検査チップ分析装置はＲＦＩＤタグ読取り装置でＲＦＩＤタグに記録されている設定データを読み取り、呈色型の検査チップ分析装置に識別パスワードを読み込む。
【００１４】
ＲＦＩＤタグの識別パスワードを読み取った後、システムはステップ１１４に進み、識別パスワードが予め設定されているパスワードと一致するか否かを判断する。もし識別パスワードが認識されないか、または予め設定されているパスワードと一致しない場合には、ステップ１１５を実行してエラーメッセージを画面上に表示して、前記エラーメッセージにより、挿入されたＲＦＩＤタグが合法的な証明のあるタグでないことを表示する。システムが、前記識別パスワードが合法的な証明であるかまたは予め設定されているパスワードと一致していると認識したとき、ステップ１１６を実行することができる。ステップ１１６は使用許可回数を決定するものであるが、この使用許可回数は呈色型の検査チップ分析装置による呈色型の検査チップ検査の使用回数を許可するものである。ＲＦＩＤタグから読み込まれた使用許可回数が１以上であるとき、つまり、残りの使用回数が１以上であるときには、システムは次のステップ１１８に進む。そうでない場合にはステップ１１７を実行して、例えば、使用許可回数が０であり、操作者は引き続き使用許可回数を取得しなければ呈色型の検査チップでの検査が行えない、といったメッセージを画面上に表示する。
【００１５】
ステップ１１８では、呈色型の検査チップデータに関する規格および分析パラメータを取り込むか、またはＲＦＩＤタグ上に記録されているうちの一種類の呈色型の検査チップデータを選択する。本発明の方法では、識別パスワードが正確で、しかも使用許可回数が1以上でなければ、分析装置はステップ１１８には進めない。呈色型の検査チップ分析装置が前記呈色型の検査チップデータに関する規格および分析パラメータを取り込んだ後、ステップ１２２において、システムは使用許可回数を一回減らすとともに、減らした後の使用許可回数をＲＦＩＤタグに保存する。
【００１６】
続いて、ステップ１２４にて、検査分析が終了するまで、今回の規格の呈色型の検査チップでの検査分析を行う。もしこの後に検査を控えている同一規格の呈色型の検査チップがある場合には、検査が終了するまで、ステップ１２４を繰り返す。
【００１７】
検査が終了した後、ステップ１２６において、もし他の種類の呈色型の検査チップを検査したい場合、ステップ１１０に戻って、証明付きタグを交換するか、または前記ＲＦＩＤタグから他の種類の呈色型の検査チップデータを新たに読み取ることになる。このように、呈色型の検査チップ分析装置はパラメータおよび検査条件を変更して、他の種類の呈色型の検査チップでの検査分析に対応することができる。
【００１８】
もしステップ１２６において、操作者によりシステムの使用が終了されると、ステップ１２８に進み、ＲＦＩＤタグ読取り装置を停止する。
【００１９】
上記したものは、本発明の好ましい実施形態に過ぎず、しかもこれに基づいて本発明に如何なる形式上の限定を行うものではないので、同一の発明の思想のもとにおいて行われる本発明に関する何らかの改良は、いずれも本発明が保護を求める範囲に含まれるものである。
【図面の簡単な説明】
【００２０】
【図１】本発明の好ましい実施形態における呈色型の検査チップ分析装置にＲＦＩＤタグを挿入する状態の概略図である。
【図２】本発明の呈色型の検査チップ分析装置のシステム設定方法の手順のフローチャートである。
【符号の説明】
【００２１】
１０    検査チップ分析装置筐体
１１    スロット
１２    ＲＦＩＤタグ
【図１】
0005130103.tif 000002
【図２】
0005130103.tif 000003